(57)【特許請求の範囲】
【請求項１】
上部が蓋により開閉可能とされ、ジュース等の缶容器又はペットボトル等の上端先細状の容器を収納可能な収納ボックスの底面に、着脱可能に敷設されて、前記収納ボックス内に寝かせて収容した前記缶容器の転がりを規制する凹凸部を上面に備えた容器収納用プレートにおいて、
前記収納ボックスの底面に起立させて収容した前記上端先細状の容器の上方から前記収納ボックス内に収容されたときに、前記上端先細状の容器の上端が通されかつ当該容器の先細り部分の途中で係止する貫通孔が形成され、
前記容器収納用プレートは、前記貫通孔が前記上端先細状の容器の先細り部分で係止した状態のとき、前記容器収納用プレートの周縁部が前記収納ボックスの内側壁に当接可能な大きさをなすことを特徴とする容器収納用プレート。
【請求項２】
前記貫通孔は、前記容器収納用プレートを格子状に区画してなる複数の各領域ごとに配されたことを特徴とする請求項１記載の容器収納用プレート。
【発明の詳細な説明】
【０００１】
【発明の属する技術分野】
本発明は、容器収納用プレートに関する。
【０００２】
【従来の技術】
例えば、自動車に備えた従来の収納ボックスは、特開平９−３１８２２０号公報に掲載されたもののように、底面に溝を形成して備え、その溝内にジュース等の缶容器を寝かせて収容して転がりを規制する構造になっている。ところが、例えば、ペットボトルのように、ある程度丈があるものは、収納ボックス内に立たせて収容せざるを得ない場合があり、そうすると、上記収納ボックスの底面に備えた溝が邪魔になる。その改善策として、収納ボックスの底面を平坦にして、前述した転がり防止用の溝を上面に形成した容器収納用プレートを、必要に応じて取り外すようにした構造のものが知られている。このものでは、容器収納用プレートを取り外して、平坦になった収納ボックスの底面に、ペットボトルを立てることができる。
【０００３】
【発明が解決しようとする課題】
しかしながら、収納ボックス内で、ペットボトルが転倒してがたついたり、ひいては、ペットボトルの先細状となった上端部で、収納ボックスの内側壁を変形させるという事態が生じ得る。そればかりか、取り外された容器収納用プレートは、収納ボックス外に出されて邪魔になる。
【０００４】
そこで、本発明は、上記事情に鑑みてなされたもので、ペットボトルなどの上端先細状の容器を、収納ボックス内に立てて収納したときに、その容器の転倒を規制することができる容器収納用プレートの提供を目的とする。
【０００５】
【課題を解決するための手段】
上記目的を達成するため、請求項１の発明に係る容器収納用プレートは、上部が蓋により開閉可能とされ、ジュース等の缶容器又はペットボトル等の上端先細状の容器を収納可能な収納ボックスの底面に、着脱可能に敷設されて、収納ボックス内に寝かせて収容した缶容器の転がりを規制する凹凸部を上面に備えた容器収納用プレートにおいて、収納ボックスの底面に起立させて収容した上端先細状の容器の上方から収納ボックス内に収容されたときに、上端先細状の容器の上端が通されかつ当該容器の先細り部分の途中で係止する貫通孔が形成され、容器収納用プレートは、貫通孔が上端先細状の容器の先細り部分で係止した状態のとき、容器収納用プレートの周縁部が収納ボックスの内側壁に当接可能な大きさをなすところに特徴を有する。
【０００６】
請求項２の発明は、請求項１記載の容器収納用プレートにおいて、貫通孔は、容器収納用プレートを格子状に区画してなる複数の各領域ごとに配されたところに特徴を有する。
【０００７】
【発明の作用及び効果】
請求項１の構成では、収納ボックス内に、上端先細状の容器を収納するには、まず、収納ボックスから容器収納用プレートを取り出し、収納ボックスの底面に容器を起立させる。そして、容器の上に容器収納用プレートを被せて、容器収納用プレートに形成した貫通孔に、容器の上端を通す。すると、容器のうち上端部のみが貫通孔内に通されたところで、容器収納用プレートが容器の上端部に係止した状態になる。ここで、貫通孔が容器の先細り部分で係止した状態のとき、容器収納用プレートの周縁部が収納ボックスの内側壁に当接可能な大きさをなすから、容器の転倒が防がれる。
【０００８】
請求項２の構成では、複数の容器が、それぞれの上端部を貫通孔に通した状態で収納ボックス内に収容されると、各容器は、容器収納用プレートを格子状に区画した各領域ごとに配されて均等に並んだ状態に保持される。
【０００９】
【発明の実施の形態】
以下、本発明を具現化した実施形態について図１ないし図４を参照して説明する。図３は、収納ボックスとして自動車に備えたクーラーボックス１１が示されており、このクーラーボックス１１は、平断面がほぼ正方形をなす収納空間を備え、その底面１１Ｓに本実施形態の容器収納用プレート１０（以下、単に「収納用プレート１０」という）が敷設されている。
【００１０】
収納用プレート１０は、図１に全体が示されており、上記クーラーボックス１１の底面１１Ｓに対応して、全体の平面形状がほぼ正方形をなす。また、収納用プレート１０の上面には、格子状の区画壁１０Ａが形成されて、収納用プレート１０全体が４つの領域に区画されると共に、区画壁１０Ａのうち縦横の壁の各交点部１７の間には、ジュースの缶容器１４の外周面に対応して湾曲した凹所１８が形成されている。そして、これら凹所１８が、縦横の複数の壁に亘って並ぶことで、ジュースの缶容器１４を受容する溝部１８Ａが構成されている。
【００１１】
さて、収納用プレート１０のうち区画壁１０Ａに囲まれた各領域の中心部分には、それぞれ貫通孔１９が形成されている。これら貫通孔１９は、内径は、例えば、市販飲料水用の５００ｍｌのペットボトル１５（本発明に係る「上端先細状の容器」に相当する）に対応している。即ち、貫通孔１９の内径は、ペットボトル１５のうち上端の最細部の外径（図４のＤ１参照）より大きく、かつ、ペットボトル１５の円筒部分の外径（図４のＤ２参照）より小さい設定となっている。
【００１２】
次に、上記のように構成された本実施形態の作用及び効果について説明する。クーラーボックス１１内に、ジュース等の缶容器１４を収容するときには、図３に示すように、収納用プレート１０を底面１１Ｓに敷設して、その上から缶容器１４を寝かせて入れる。このとき、収納用プレート１０の上面に形成した溝部１８Ａに缶容器１４を寝かせて受容すれば、缶容器１４の転がりを規制することができる。
【００１３】
さて、クーラーボックス１１内に、例えば、４本のペットボトル１５を立てて収容するときには、まず、収納用プレート１０をクーラーボックス１１から取り出す。次いで、図４に示すように、４本のペットボトル１５を縦横２列に並べて、クーラーボックス１１の底面１１Ｓに起立させる。そして、ペットボトル１５の上に収納用プレート１０を被せて、収納用プレート１０に形成した各貫通孔１９に、ペットボトル１５の上端を通す。すると、ペットボトル１５のうち先細り部分の途中部分が貫通孔１９に通されたところで、貫通孔１９の内面がペットボトル１５の外面に当接し、もって収納用プレート１０がペットボトル１５の上端部に係止する。これにより、４本のペットボトル１５は、収納用プレート１０の格子状の各領域ごとに配されて均等に並んだ状態に保持される。
この状態で、例えば、自動車の揺れなどにより、ペットボトル１５が側方から力を受けても、収納用プレート１０及びその周縁部が当接する収納ボックス内壁にてペットボトル１５の上端部１５Ａの動きが規制されているから、ペットボトル１５は転倒しない。また、収納用プレート１０により、ペットボトル１５同士が均等に並んだ状態に保持されているから、クーラーボックス１１内の通気性がよくなり、冷却効率も向上する。
【００１４】
このように、本実施形態の収納用プレート１０によれば、クーラーボックス１１内にペットボトル１５を立てて収納したときに、収納用プレート１０もクーラーボックス１１内に収容されて邪魔になることがなくなり、しかも、ペットボトル１５の転倒を防止することができる。また、収納用プレート１０を格子状に区画する各領域ごとに貫通孔１９を配したから、貫通孔１９に先端部を通された各ペットボトル１５は、互いに等間隔に並んで整頓されると共に、冷却効率も向上する。その上、貫通孔１９を設けたことにより、従来の容器収納用プレートに比べて軽量化が図れる。
【００１５】
なお、本発明は上記記述及び図面によって説明した実施形態に限定されるものではなく、要旨を逸脱しない範囲で種々変更して実施することができる。例えば、次に記載するようなものも本発明の技術的範囲に含まれる。
（１）上記実施形態においては、収納用プレート１０は、正方形としたが、収納ボックスの底面１１Ｓに敷設可能で、かつ開口端から取り出し可能であれば、使用する収納ボックスの断面に合わせたさまざまな形、例えば、円形、楕円形、多角形などであってもよい。
【００１６】
（２）上記実施形態においては、貫通孔１９は、互いに同径の円形としたが、収容する先細容器サイズ・形状に合わせて、異なった径の円形又は円形以外の形の貫通孔であってもよい。
【００１７】
（３）上記実施形態においては、貫通孔１９は、互いに等間隔に配置したが、収容する先細容器同士がクーラーボックス１１底面１１Ｓに真直ぐに立てることが可能な間隔であれば、これに限られない。但し、互いに等間隔に配置した場合には、ほぼ同形の先細容器を整理よく、より安定した状態で収容することができる。
【００１８】
（４）収納用プレート１０は、変形しにくい剛性部材で構成してもよいし、変形容易な弾性部材で構成してもよい。弾性部材で構成した場合には、容器の上端先細部分と収納ボックスの内側壁との隙間を、容器収納用プレート１０にて埋めることができるので、より一層安定した状態で容器を収容することができる。
【００１９】
（５）上記実施形態においては、クーラーボックス１１としたが、単なる収納ボックスでも、保温装置又は保冷温装置付の収納ボックスであっても良い。
【００２０】
（６）上記実施形態においては、収納ボックスは、その収納空間の平断面がほぼ同形のものとしたが、上端先細状の容器の先細り部分で係止された収納用プレート１０の周縁部が、その内側壁に当接可能な平断面を形成していれば、非同形のものであっても良い。
【００２１】
（７）上記実施形態においては、収納ボックスは、自動車に備えられたものとしたが、自動車以外の乗り物に備えられた収納ボックスや携帯用収納ボックスであっても良い。
【図面の簡単な説明】
【図１】本発明の一実施形態に係る容器収納用プレートの斜視図
【図２】図１のＸ−Ｘ破断面における容器収納用プレートの断面図
【図３】缶容器を収容したクーラーボックスの横断面
【図４】ペットボトルを収容したクーラーボックスの横断面
【符号の説明】
１０…容器収納用プレート
１１…クーラーボックス（収納ボックス）
１５…ペットボトル
１５Ａ…上端部
１８…凹所
１９…貫通孔
【図１】
0004103026.tif 000002
【図２】
0004103026.tif 000003
【図３】
0004103026.tif 000004
【図４】
0004103026.tif 000005